(57)【要約】    【課題】  遠心分離式のスティック型掃除機において、フィルターの目詰まりの心配をなくすと共に、掃除機全体の重心を可及的に低くする。    【解決手段】  掃除機本体１の下内部に電動送風機４を設け、この電動送風機４の上方且つ上流側に吸塵口18が上方となるようにして集塵袋19を着脱自在に取り付ける集塵室16を設け、この集塵室16の上方且つ上流側に遠心分離装置としてのサイクロン分離装置６を前記掃除機本体１に対し着脱自在に取り付け、更に、前記サイクロン分離装置６と連通するノズル10を前記掃除機本体１に対して取り付けたことにより、前記サイクロン分離装置６を通過した塵埃を前記集塵袋19により捕捉して塵埃による気流の流通阻害を抑制する。また、重量の大きい前記電動送風機４が低位置となることで、掃除機全体の重心が下がり安定性が向上される。更に、前記集塵袋19からの塵埃の流出が防止される。【選択図】図１
2006230815.tif 000002
【特許請求の範囲】
【請求項１】
内部に電動送風機を有する掃除機本体と、この掃除機本体に対して取り付けられるノズルとを有するスティック型掃除機において、
前記ノズルと連通する遠心分離装置を前記掃除機本体の上部に対して着脱自在に取り付け、この遠心分離装置の下方において集塵袋を吸塵口が上方となるようにして着脱自在に取り付ける集塵室を設けると共に、この集塵室の下方で且つ前記掃除機本体の下部に前記電動送風機を設けたことを特徴とするスティック型掃除機。
【請求項２】
前記遠心分離装置が、集塵容器と、前記ノズルに連通して前記集塵容器の上部に設けられる導入口と、前記集塵容器の軸方向と略平行に設けられて上部に内外を連通する連通路を設けると共に下部が前記吸塵口に連通する排気用の筒体とを備えたことを特徴とする請求項１記載のスティック型掃除機。
【請求項３】
前記集塵室の上部開口部に天蓋を設けると共に、この天蓋の下面に前記集塵袋の吸塵口が形成されたフランジ部を取り付けることを特徴とする請求項１記載のスティック型掃除機。
【請求項４】
前記集塵室に前記電動送風機の一次側通気路を連通し、前記電動送風機の二次側通気路を外部に開放すると共に、前記通気路の途中を前記電動送風機の電池に接して設けることを特徴とする請求項１記載のスティック型掃除機。
【発明の詳細な説明】
【技術分野】
【０００１】
本発明は、掃除機本体にノズルが一体的或いは着脱自在に設けられる遠心分離式のスティック型掃除機に関するものである。
【背景技術】
【０００２】
従来、この種の掃除機として、ノズルと連通するサイクロン分離装置を掃除機本体の下部に取り付け、この掃除機本体内の上部に電動送風機を設けることで、ノズルから吸い込まれた塵埃を含む空気を前記サイクロン分離装置内で渦流とし、このサイクロン分離装置内で比較的重い（粗い）塵埃を遠心分離して貯留する一方、比較的粗い塵埃が分離された後の比較的軽い（細かい）塵埃を含む気流が上昇してフィルターを通過することで、気流から塵埃を除去し、この塵埃が除去された気流が前記電動送風機を通過して大気中に放出されるものが知られている（例えば特許文献１）。
【０００３】
また、塵埃を吸引する吸引手段と、前記吸引手段の前方に配され集塵袋を内包した集塵室を備え、前記集塵室に連通すると共に塵埃を捕集する集塵トラップを前記集塵室の上流に配し、比較的大きい塵埃を前記集塵トラップで捕捉する電気掃除機も公知である（例えば特許文献２）。
【特許文献１】特開２００２−２５３４５５号公報
【特許文献２】特開２００１−２５８８０４号公報
【発明の開示】
【発明が解決しようとする課題】
【０００４】
前者の従来技術においては、比較的粗い塵埃が分離された空気は前記フィルターを通過して大気中へ放出されるものであるが、前記フィルターを通過する空気中において、僅かながら比較的細かい塵埃が残っている場合があるので、このような比較的細かい塵埃によってフィルターが詰まることを防止するため、掃除機を比較長時間使用した後には前記フィルターを清掃する必要がある。
【０００５】
このようなフィルターの詰まりの問題は、後者の従来技術のように、遠心分離装置と電動送風機との間に交換可能な集塵袋を内包した集塵室を備えることで解決することができる。しかしながら、掃除機本体の下部に遠心分離装置を取り付け、前記掃除機本体の上部に電動送風機を設けるようなスティック型掃除機に、さらに集塵袋を備える集塵室を設けるような場合には、掃除機本体の全高が高くなって、この結果掃除機本体の重心が高くなるばかりでなく、掃除機本体内における気流経路等が複雑になってしまう虞があり、本来移動操作性に優れるスティック型掃除機の利点を阻害する要因となる。
【０００６】
本発明が解決しようとする問題点は、遠心分離式のスティック型掃除機において、遠心分離装置を通過した比較的細かい塵埃による気流の流通阻害を抑制し、内部に電動送風機を有する掃除機本体の重心を可及的に低くすると共に、前記掃除機本体内の気流経路等を単純化する点である。
【課題を解決するための手段】
【０００７】
請求項１の発明は、内部に電動送風機を有する掃除機本体と、この掃除機本体に対して取り付けられるノズルとを有するスティック型掃除機において、前記ノズルと連通する遠心分離装置を前記掃除機本体の上部に対して着脱自在に取り付け、この遠心分離装置の下方において集塵袋を吸塵口が上方となるようにして着脱自在に取り付ける集塵室を設けると共に、この集塵室の下方で且つ前記掃除機本体の下部に前記電動送風機を設けたことを特徴とするスティック型掃除機である。
【０００８】
請求項２の発明は、前記遠心分離装置が、集塵容器と、前記ノズルに連通して前記集塵容器の上部に設けられる導入口と、前記集塵容器の軸方向と略平行に設けられて上部に内外を連通する連通路を設けると共に下部が前記吸塵口に連通する排気用の筒体とを備えたことを特徴とする請求項１記載のスティック型掃除機である。
【０００９】
請求項３の発明は、前記集塵室の上部開口部に天蓋を設けると共に、この天蓋の下面に前記集塵袋の吸塵口が形成されたフランジ部を取り付けることを特徴とする請求項１記載のスティック型掃除機である。
【００１０】
請求項４の発明は、前記集塵室に前記電動送風機の一次側通気路を連通し、前記電動送風機の二次側通気路を外部に開放すると共に、前記通気路の途中を前記電動送風機の電池に接して設けることを特徴とする請求項１記載のスティック型掃除機である。
【発明の効果】
【００１１】
請求項１の発明によれば、前記遠心分離装置では捕捉されずに空気と共に前記遠心分離装置から排出された比較的細かい塵埃を、前記遠心分離装置の下流で且つ下方に設けられた前記集塵室内の交換可能な集塵袋により捕捉して溜めるので、従来のように細かい塵埃を捕捉したフィルターの掃除を行う必要がなく、塵埃による気流の流通阻害を抑制することができる。また、重量物である前記電動送風機が前記掃除機本体内の下方に配置されるので、掃除機全体の重心を下げて安定性を向上することができ、この結果、スティック型掃除機における移動操作性を確保することができる。更に、前記集塵袋の吸塵口が上方を向いていることで、前記集塵袋からの塵埃の流出を防止するための逆止弁等の要素が不要となる。
【００１２】
また、請求項２の発明によれば、前記遠心分離装置を通過した気流が、前記筒体の下部からこの筒体下部と連通する前記集塵袋の吸塵口に流入するので、前記遠心分離装置から前記集塵袋への気流経路を単純化して、掃除機全体の大型化を防ぐことができる。
【００１３】
また、請求項３の発明によれば、前記集塵室に対して着脱自在な前記天蓋に前記集塵袋の吸塵口が形成されたフランジ部を取り付けることで、前記集塵室に対して前記集塵袋を簡単に着脱することができるばかりでなく、前記集塵袋の吸塵口が前記天蓋を介して前記筒体の下部と連通するので、前記筒体の下部と前記集塵袋の吸塵口の位置合わせを正確に行うことができる。
【００１４】
更に、請求項４の発明によれば、蓄電池を用いる充電式掃除機であっても、前記電動送風機が発生させた気流によって前記蓄電池が冷却されるので、前記蓄電池の寿命及び１回当たりの掃除時間を長くすることができる。
【発明を実施するための最良の形態】
【００１５】
本発明における好適な実施の形態について、添付図を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１６】
本実施例について、図１乃至図４に基づいて説明する。なお、本実施例においては、図１の姿勢を基準として、長手方向を上下と規定する。また、図１において、左側が前、右側が後と規定する。図１乃至図４において、１は掃除機本体である。この掃除機本体１内の下方には、電動機２と、この電動機２の回転軸に取り付けられたファン３が設けられており、これら電動機２及びファン３とで電動送風機４が構成されている。また、前記掃除機本体１内における電動送風機４の下方及び側方には、上部蓄電池５及び下部蓄電池５Ａが設けられている。なお、前記上部蓄電池５は、前記電動送風機の両側部に設けられていると共に、前後にそれぞれ二段設けられている。即ち、本例では、前記上部蓄電池５及び下部蓄電池５Ａは、合計で１６本設けられている。一方、前記掃除機本体１の上方には、遠心分離装置としてのサイクロン分離装置６が設けられている。
【００１７】
さらに、前記掃除機本体１の背面側下部には、吸引管７を設けた突出部８が一体的に設けられている。そして、前記吸引管７の下端は、吸込口９を設けた吸込部たるノズル10に連通しており、このノズル10は前記掃除機本体１の下端に対して着脱自在に取り付けられている。また、前記吸引管７の上端は前記突出部の上部近傍で開口しており、この開口した吸引管７の上端に対して、可撓管７Ａの下端が接続されている。なお、この可撓管７Ａの下端は、前記吸引管７の上端に対して着脱自在に接続されている。更に、前記可撓管７Ａの上端は、前記掃除機本体１の側面側の上部に形成された吸引管連通路11に接続されており、これら吸込口９から吸引管７及び可撓管７Ａを経て吸引管連通路11に至る通風路12が形成されている。
【００１８】
そして、前記掃除機本体１の突出部８における横向きの上面13には取付部14が形成されており、この取付部14における左右方向のほぼ中央に、吸引口15が上向きに設けられている。また、前記取付部14の上方には集塵室16が固定されていると共に、この集塵室16の上方には、前記サイクロン分離装置６を形成する集塵容器17が着脱自在に取り付けられている。
【００１９】
前記集塵室16には、吸塵口18が上方となるようにして、掃除機における所謂紙パック等と称される使い捨ての集塵袋19が着脱自在に収容されている。なお、前記集塵室16自体は上下が開口しており、その上部開口に対して天蓋20が気密可能となって着脱自在に設けられている。この天蓋20は、上部固定板20Ａと、下部固定板20Ｂと、これらの間に介在する中間シール部材20Ｃからなる。そして、前記天蓋20のほぼ中央には、上下方向を貫通する貫通孔21が形成されている。更に、前記天蓋20の下面には、前記吸塵口18が前記貫通孔21の下端と連通するように、前記集塵袋19が着脱自在に取り付けられている。そして、この集塵袋19を前記天蓋20の下面に対して気密に取り付けるために、前記貫通孔21の周囲には、この貫通孔21を囲むように気密用の下部シール部材22がリング状に設けられている。そして、前記集塵袋19の吸塵口18は、前記天蓋20に取り付けられた状態において、下部シール部材22の内側に配置されるようになっている。なお、本実施例の場合、前記集塵袋19は薄紙製の袋本体23の開口端部に厚紙製のフランジ部24を設けると共に、この略中心に前記吸塵口18が形成されているものである。そして、前記天蓋20の下面の正面側に形成された爪状の係止受け部25に、前記フランジ部24の前端縁を着脱可能に係止させると共に、前記フランジ部24の後端縁を前記天蓋20の背面側の下面に揺動自在に設けたノブ状ストッパー26に係止することで、前記フランジ部24を前記天蓋20の下面に対して気密に取り付けることができるように構成されている。
【００２０】
前記集塵室16の底面に形成されて上下方向に貫通する下部開口27の下面には、この下部開口27を囲むようにリング状のシール部材28が取り付けられている。そして、前記シール部材28によってシールされて、前記下部開口27が前記吸引口15、ひいては前記電動送風機４の一次側通気路29と連通している。また、前記電動送風機４の二次側通気路30は前記突出部８の下部の左右両側に形成された排気口31と連通している。そして、前記掃除機本体１における前記電動送風機４の左右側方に、前記電動機２を作動させるためのＮｉ−Ｃｄ電池等の前記上部蓄電池５がフィルム32等でパックされた状態で収容されていると共に、前記電動送風機４の下方にも、前記下部蓄電池５Ａがフィルム32等でパックされた状態で収容されている。そして、このフィルム32等でパックされた蓄電池５，５Ａの外側と掃除機本体１の本体ケース１Ａの内側との隙間が前記二次側通気路30の一部を構成し、この二次側通気路30を通過する気流が前記フィルム32を介して前記蓄電池５，５Ａを冷却するように構成されている。
【００２１】
一方、前記サイクロン分離装置６を構成する前記集塵容器17の上部の側面には、前記吸引管連通路11と連通する導入口33が形成されている。そして、この導入口33の中心軸線Ｙは、前記集塵容器17の軸心Ｘに対して直交するように、ほぼ横向きに配置されている。また、前記集塵容器17の後上部には、前記導入口33と対向して傾斜部34が形成されている。この傾斜部34の上端は、前記軸心Ｘよりもやや前方となっており、また、前記傾斜部34の下端は、前記集塵容器17の後部において、この集塵容器17の高さのほぼ半分程度となっている。また、前記集塵容器17の底面開口部には、この底面開口部を開閉自在に塞ぐ底蓋35が設けられている。また、前記集塵容器17の略中央には、この集塵容器17の軸心Ｘ方向に通気経路36が形成された略円柱状の筒体37が着脱自在に取り付けられている。なお、筒体37の外周には、外縁が下向きとなった円板部38が一体に設けられている。また、前記円板部38は、前記筒体37における前記傾斜部34の下端よりもやや下方に位置しており、その外縁が前記集塵容器17の内周面との間に隙間Ｌを隔てて設けられている。なお、前記円板部38は、本実施例では外縁が下向きとなったものを示したが、全体として外側ほど低くなるような形状に構成してもよい。そして、前記筒体37の上端は、前記集塵容器17の上部内側に固定された取付部39に対して着脱自在に取り付けられる。更に、前記筒体37の上端と前記円板部38との間には、前記筒体37の内外を連通する複数の連通孔40が形成されている。また、前記筒体37の下端は、前記底蓋35の略中央に形成された開口部41の周囲に当接することで、この開口部41と連通している。更に、前記開口部41は、前記天蓋20の貫通孔21の上部周囲に設けられた気密用の上部シール部材42を介して連通できるようになっている。このような構成とすることにより、塵埃（図示せず）を含んだ空気が前記導入口33より前記集塵容器17に流入すると、この集塵容器17の内部で、空気は前記集塵容器17の内周面に沿って旋回し、前記傾斜部34に沿って流れることで下降し、更に前記集塵容器17の底部に至ると前記筒体37の外面に沿うように上昇し、更に前記円板部38の外縁を越えて上昇し、前記連通孔40及び前記通気経路36を経て、前記開口部41から排出される。なお、前記集塵容器17の上面にはストッパー43が設けられている。そして、このストッパー43は、前記集塵容器17とカバー44との間に配されている。更に、前記ストッパー43は、前記掃除機本体１の背面に形成されたストッパー受け部45に対して係合可能に構成されている。
【００２２】
なお、46は前記掃除機本体１の上方に延長して設けられた、折り畳み可能な把持部である。
【００２３】
次に、本実施形態の作用について説明する。まず、前記集塵室16を区画する前記天蓋20の下面に、前記集塵袋19を取り付ける。この取り付けは、前記フランジ部24の前端縁を前記係止受け部25に挿入して係止すると共に、揺動させた前記ストッパー26を前記フランジ部24の後端縁に係止して、前記吸塵口18の周囲に前記下部シール部材22が密着するように前記集塵袋19を前記天蓋20の下面に対して気密に取り付けることで行われる。そして、前記集塵袋19が取り付けられた前記天蓋20を、前記集塵室16の上部開口に嵌合して取り付ける。そして、このように前記集塵室16に対して着脱自在な前記天蓋30に前記集塵袋19の吸塵口18が形成されたフランジ部24を取り付けることで、前記集塵室16に対して前記集塵袋19を簡単に取り付けることができるばかりでなく、前記集塵袋19の吸塵口18が前記天蓋20を介して前記筒体37の下部と連通するので、前記筒体37の下部と前記集塵袋19の吸塵口18の位置合わせを正確に行うことができる。
【００２４】
更に、前記集塵容器17の取付部39に対して前記筒体37を取り付け、前記底蓋35を閉じることで、前記筒体37の下端が前記底蓋35の開口部41の周囲に接する。この際、前記筒体37の上端が前記取付部39に取り付けられることで、前記筒体37が前記集塵容器17の軸心Ｘ上に配置される。そして、このようにして組み立てられた前記サイクロン分離装置６を、前記掃除機本体１に取り付ける。この取り付けは、前記サイクロン分離装置６を集塵室16に載置するようにして前記掃除機本体１と一体化するもので、前記底蓋35を前記天蓋20に載置した後、前記掃除機本体１の背面に前記集塵容器17の正面側を当接させ、この集塵容器17の上部に設けられたストッパー43を前記掃除機本体１のストッパー受け部45に係止することにより行われる。この取り付けに伴い、前記導入口33が前記吸引管連通路11と連通すると共に、前記底蓋35の開口部41と前記天蓋20の貫通孔21とが連通する。そして、このように前記サイクロン分離装置６から気流を排出させる前記通気経路36を構成する前記筒体37が、前記サイクロン分離装置６の下部に設けられた前記底蓋35の開口部41、上部シール部材42、及び前記集塵室16の上部に設けられた前記天蓋20の貫通孔21を介して前記集塵袋19の吸塵口18に接続されるので、前記サイクロン分離装置６から前記集塵袋19へ流れる気流の経路が単純化され、これによって、掃除機全体の大型化が防がれる。
【００２５】
更にまた、前記吸引管７の下端部に、前記ノズル10を取り付ける。そして、このように前記掃除機本体１にサイクロン分離装置６と集塵袋19とノズル10を装着した状態で、図示しない充電台等に掃除機を載置することで、予め上部蓄電池５及び下部蓄電池５Ａを充電する。
【００２６】
次に、掃除を行う場合、使用者は図示しない充電台等から掃除機を取り外し、把持部46を把持し、図示しないスイッチを操作する。これによって、前記上部蓄電池５及び下部蓄電池５Ａから前記電動送風機４の電動機２に電力が供給されることで、前記電動送風機４が作動する。そして、前記電動送風機４が作動すると、塵埃を含んだ空気が前記ノズル10の吸込口９から吸い込まれ、前記通風路12を経て、前記導入口33から前記サイクロン分離装置６の集塵容器17に流入する。そして、前記導入口33から前記集塵容器17内に入り込んだ空気は、前記集塵容器17の内周面に沿って旋回する渦流となると共に、前記傾斜部34に沿って流れることで、螺旋状に下降する。この際、この渦流に含まれる塵埃は、遠心力によって前記集塵容器17の内周面に押し付けられることになる。そして、前記渦流が前記集塵容器17の底部に至ると、前記集塵容器17の内周面側で下降していた渦流は、前記集塵容器17の内側に向かって流れると共に、前記筒体37の外面に沿うように上昇し、更に前記円板部38の外縁を越えて上昇し、前記連通孔40及び前記通気経路36を経て、前記開口部41から排出される。このとき、前述したように、渦流に含まれている塵埃のうち比較的粗い（重い）塵埃は、遠心力によって前記集塵容器17の内周面に押し付けられているので、渦流が前記集塵容器17の内周面側から内側に向かって流れたとしても、そのまま前記集塵容器17の内周面付近に留まることになる。これによって、比較的粗い（重い）塵埃は、渦流から分離される。一方、綿埃等の比較的軽い塵埃や細かい塵埃等は、比較的遠心分離されにくいので、前記集塵容器17の内周面側から内側に向かって流れる気流に混じって集塵容器17の中央付近まで移動し、気流の上昇に伴って集塵容器17内を上昇しようとするが、上昇する気流が前記円板部38の外縁を越える際に、上昇気流に含まれている比較的軽い塵埃や細かい塵埃の大部分が上昇気流と共に前記円板部38の外縁を超えることが阻止される。そして、軽い塵埃や細かい塵埃を僅かに含む、前記円板部38を超えた上昇気流は、前記連通孔40を通過して前記筒体37内に入り、前記通気経路36を経て、前記開口部41から前記集塵室16内の集塵袋19内に流れる。
【００２７】
そして、前記集塵室16において、前記サイクロン分離装置６を通過した気流に僅かに含まれる軽い塵埃や細かい塵埃は、気流が前記集塵袋19を通過する際にこの集塵袋19によって捕捉され、この集塵袋19の内側に溜まることとなる。なお、前記集塵袋19は、気流に含まれる塵埃の大部分が前記集塵室16の前段のサイクロン分離装置６で既に取り除かれているので、僅かな量の塵埃を捕捉するに留まる。このため、前記集塵袋19には塵埃が殆ど溜まらず、前記集塵袋19が目詰まりを起こす可能性が低いばかりでなく、前記集塵袋19を交換する頻度も低い。また、前記集塵袋19は、前記吸塵口18が形成されたフランジ部24が上方となるように、このフランジ部24が前記天蓋20に取り付けられた状態で前記集塵室16内に収容されているので、内部に溜まった塵埃をこぼさないようにすることができる。
【００２８】
そして、前記集塵袋19を通過した空気は、前記下部開口27から前記吸引口15を経て前記電動送風機４の一次側通気路29に吸引されると共に、前記電動送風機４から前記二次側通気路30へ排出される。更に、この電動送風機４の二次側通気路30へ排出された空気は、前記掃除機本体１に形成された前記排気口31から前記掃除機本体１の外部に排出される。この際、前記二次側通気路30を通る気流は、前記掃除機本体１の本体ケース１Ａの内側で、上部蓄電池５及び下部蓄電池５Ａの周囲を流れるので、この気流によって前記蓄電池５，５Ａを冷却することができる。
【００２９】
清掃終了後、前記ストッパー43を操作して、このストッパー43と前記ストッパー受け部45との係止を解いて前記サイクロン分離装置６を前記掃除機本体１から取り外した後、前記底蓋35を開放することで、前記サイクロン分離装置６の集塵容器17内に溜められた塵埃をゴミ箱等に捨てる。更に、前記筒体37を前記取付部39から取り外すことで、前記集塵容器17の内壁や前記筒体37に付着した塵埃を取り除くことができる。一方、前述したように前記集塵袋29には殆ど塵埃が溜まらないが、交換が必要な程度に前記集塵袋29に塵埃が溜まった場合、前記集塵袋19を交換する。この交換は、前記サイクロン分離装置６が前記掃除機本体１から取り外された状態で、前記天蓋20を前記集塵室16の上部開口から取り外し、前記天蓋20に設けられたストッパー26を揺動させて前記集塵袋29のフランジ部24の後端縁との係止を解除して、前記フランジ部24の前端縁を前記係止受け部25から引き抜いて使用済みの集塵袋19を取り外した後、上述した手順で新たな前記集塵袋19を取り付けることで行われる。そして、このように前記集塵室16に対して着脱自在な前記天蓋30に前記集塵袋19の吸塵口18が形成されたフランジ部24を取り付けることで、前記集塵室16に対して前記集塵袋19を簡単に取り外すことができる。
【００３０】
以上のように、本実施例は、掃除機本体１の下内部に電動送風機４を設け、この電動送風機４の上方で且つ上流側に吸塵口18が上方となるようにして集塵袋19を着脱自在に取り付ける集塵室16を設け、この集塵室16の上方で且つ上流側にサイクロン分離装置６を前記掃除機本体１の上部に対して着脱自在に取り付け、更に、前記サイクロン分離装置６と連通するノズル10を前記掃除機本体１に対して取り付けたことにより、前記サイクロン分離装置６では捕捉されずに空気と共に前記サイクロン分離装置６から排出された比較的細かい塵埃を、前記サイクロン分離装置６の下流で且つ下方に設けられた前記集塵室16内の交換可能な集塵袋19により捕捉して溜め、前記集塵袋19に塵埃が充分溜まってから前記集塵袋19を廃棄して新たな集塵袋19を取り付けることで、従来のように細かい塵埃を捕捉したフィルターの掃除を行う必要がなく、塵埃による気流の流通阻害を抑制することができる。しかも、一般的に前記集塵袋19はその表面積が大きく、従って、濾過性能に優れるばかりでなく、目詰まりも起こしにくい。また、重量の大きい前記電動送風機４が前記掃除機本体１内の下方に配置され、前記掃除機本体１の上部に、空洞部分の割合が大きく比較的軽い前記集塵室16及びサイクロン分離装置６を上下２段に配置することで、掃除機全体の重心を下げて安定性を向上することができるので、この結果、スティック型掃除機における移動操作性を確保することができる。更に、前記集塵袋19の吸塵口18が上方を向いていることで、前記集塵袋19からの塵埃の流出を防止するための逆止弁等の要素を不要とすることができる。
【００３１】
また、前記サイクロン分離装置６の内部に排気用の筒体37を設け、前記サイクロン分離装置６を通過した気流が、前記筒体37の下部からこの筒体37の下部と連通する前記集塵袋19の吸塵口18に流入するので、前記サイクロン分離装置６から前記集塵袋19への気流経路を単純化して、掃除機全体の大型化を防ぐことができる。
【００３２】
また、前記集塵室16の上部開口部に対して着脱自在な前記天蓋20に前記集塵袋19の吸塵口18が形成されたフランジ部24を取り付けることで、前記集塵室16に対して前記集塵袋19を簡単に着脱することができるばかりでなく、前記集塵袋19の吸塵口18が前記天蓋20を介して前記筒体37の下部と連通するので、前記筒体37の下部と前記集塵袋19の吸塵口18の位置合わせを正確に行うことができる。
【００３３】
更に、蓄電池５，５Ａを用いる充電式掃除機であっても、前記電動送風機４が発生させた気流によって前記蓄電池５，５Ａが冷却されるので、前記蓄電池５，５Ａの寿命及び１回当たりの掃除時間を長くすることができる。
【００３４】
なお、本発明は以上の実施例に限定されるものではなく、発明の要旨の範囲内で種々の変形実施が可能である。例えば、本実施例では、遠心分離装置としてサイクロン分離装置を用いたが、サイクロン分離装置以外の遠心分離装置を用いてもよい。
【産業上の利用可能性】
【００３５】
以上のように、本発明にかかるスティック型掃除機は、家庭用、室内用に限らず、種々の用途に適用できる。
【図面の簡単な説明】
【００３６】
【図１】本発明の実施例１を示す要部の断面図である。
【図２】本発明の実施例１を示す図１とは異なる向きの要部の断面図である。
【図３】本発明の実施例１を示す全体側面図である。
【図４】本発明の実施例１を示す要部の分解斜視図である。
【符号の説明】
【００３７】
１  掃除機本体
４  電動送風機
５  上部蓄電池
５Ａ  下部蓄電池
６  サイクロン分離装置（遠心分離装置）
10  ノズル
16  集塵室
17  集塵容器
18  吸塵口
19  集塵袋
20  天蓋
24  フランジ部
29  一次側通気路
30  二次側通気路
33  導入口
35  底蓋(底部)
37  筒体
40  連通孔
【図１】
2006230815.tif 000003
【図２】
2006230815.tif 000004
【図３】
2006230815.tif 000005
【図４】
2006230815.tif 000006